【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
撮像手段と、
前記撮像手段により得られた動画データを記録媒体に記録する記録手段と、
前記記録手段により記録する動画データのフレームレートを、複数の所定のフレームレートから設定する設定手段と、
前記記録媒体に記録された複数の動画データから編集対象の動画データを選択する選択手段と、
前記選択手段により選択された動画データを結合し、第１のフレームレートの動画データを生成する生成手段と、を備え、
前記選択手段は、前記設定手段により設定されているフレームレートを前記第１のフレームレートとして設定し、前記複数の動画データのフレームレートと前記第１のフレームレートとに基づいて、前記第１のフレームレートと関連した第２のフレームレートの動画データを前記編集対象の動画データとして選択することを特徴とする撮像装置。
【請求項２】
前記第２のフレームレートは前記第１のフレームレートと同じ値であることを特徴とする請求項１に記載の撮像装置。
【請求項３】
前記第２のフレームレートは、前記第１のフレームレートの整数倍の値、及び前記第１のフレームレートの整数分の１の値、のうちの少なくとも一つを含むことを特徴とする請求項２に記載の撮像装置。
【請求項４】
前記生成手段は、前記選択手段により選択された動画データのフレームレートが前記第１のフレームレートの整数倍である場合、前記選択手段により選択された動画データの一部のフレームを間引くことにより、前記選択手段により選択された動画データのフレームレートを前記第１のフレームレートに変更し、前記第１のフレームレートに変更された動画データを前記選択手段により選択された他の動画データと結合することを特徴とする請求項３に記載の撮像装置。
【請求項５】
前記生成手段は、前記選択手段により選択された動画データのフレームレートが前記第１のフレームレートの整数分の１である場合、前記選択手段により選択された動画データの一部のフレームを繰り返すことにより前記選択手段により選択された動画データのフレームレートを前記第１のフレームレートに変更し、前記第１のフレームレートに変更された動画データを前記選択手段により選択された他の動画データと結合することを特徴とする請求項３に記載の撮像装置。
【請求項６】
前記記録手段は、前記記録手段により記録される動画データのフレームレートの情報を前記記録媒体に記録することを特徴とする請求項１に記載の撮像装置。
【請求項７】
前記選択手段は、編集対象としてさらに静止画データを選択し、前記生成手段は、前記選択手段により選択された動画データと静止画データとを結合して、前記第１のフレームレートの動画データを生成することを特徴とする請求項１に記載の撮像装置。
【請求項８】
前記生成手段は、前記選択手段により選択された静止画データを繰り返し挿入することにより、前記第１のフレームレートの動画データを生成することを特徴とする請求項７に記載の撮像装置。
【請求項９】
前記選択手段により選択された動画データから、編集対象の動画データをユーザが指定することを可能とする操作手段をさらに備え、前記生成手段は、前記ユーザにより指定された動画データを結合することを特徴とする請求項１に記載の撮像装置。
【請求項１０】
撮像手段と、
前記撮像手段により得られた動画データを記録媒体に記録する記録手段と、
それぞれＮＴＳＣ方式に関連した第１のフレームレートと第２のフレームレート、及び、それぞれＰＡＬ方式に関連した第３のフレームレートと第４のフレームレートを含む、複数の所定のフレームレートの一つを、前記記録手段により記録する動画データのフレームレートとして設定する設定手段と、
前記設定手段により設定されているフレームレートに基づいて、前記記録媒体に記録された複数の動画データから編集対象の動画データを選択する選択手段と、
前記選択手段により選択された動画データを結合し、結合された動画データを生成する生成手段と、
前記第１のフレームレートが前記設定手段により設定されている場合、前記選択手段は、前記第１のフレームレートの動画データと前記第２のフレームレートの動画データとを前記編集対象の動画データとして選択し、前記生成手段は、前記選択手段により選択された動画データを結合して、前記第１のフレームレートの動画データを生成し、
前記第２のフレームレートが前記設定手段により設定されている場合、前記選択手段は、前記第１のフレームレートの動画データと前記第２のフレームレートの動画データとを前記編集対象の動画データとして選択し、前記生成手段は、前記選択手段により選択された動画データを結合して、前記第２のフレームレートの動画データを生成し、
前記第３のフレームレートが前記設定手段により設定されている場合、前記選択手段は、前記第３のフレームレートの動画データと前記第４のフレームレートの動画データとを前記編集対象の動画データとして選択し、前記生成手段は、前記選択手段により選択された動画データを結合して、前記第３のフレームレートの動画データを生成し、
前記第４のフレームレートが前記設定手段により設定されている場合、前記選択手段は、前記第３のフレームレートの動画データと前記第４のフレームレートの動画データとを前記編集対象の動画データとして選択し、前記生成手段は、前記選択手段により選択された動画データを結合し、前記第４のフレームレートの動画データを生成することを特徴とする撮像装置。
【請求項１１】
撮像手段を備える撮像装置を制御する方法であって、
前記撮像手段により得られた動画データを記録媒体に記録する記録工程と、
前記記録工程において記録する動画データのフレームレートを、複数の所定のフレームレートから設定する設定工程と、
前記記録媒体に記録された複数の動画データから編集対象の動画データを選択する選択工程と、
前記選択工程において選択された動画データを結合し、第１のフレームレートの動画データを生成する生成工程と、を有し、
前記選択工程では、前記設定工程において設定されているフレームレートを前記第１のフレームレートとして設定し、前記複数の動画データのフレームレートと前記第１のフレームレートとに基づいて、前記第１のフレームレートと関連した第２のフレームレートの動画データを前記編集対象の動画データとして選択することを特徴とする撮像装置の制御方法。
【手続補正２】
【補正対象書類名】明細書
【補正対象項目名】発明の名称
【補正方法】変更
【補正の内容】
【発明の名称】撮像装置及びその制御方法
【手続補正３】
【補正対象書類名】明細書
【補正対象項目名】０００７
【補正方法】変更
【補正の内容】
【０００７】
以上の目的を達成するため、本発明に係わる撮像装置は、撮像手段と、前記撮像手段により得られた動画データを記録媒体に記録する記録手段と、前記記録手段により記録する動画データのフレームレートを、複数の所定のフレームレートから設定する設定手段と、前記記録媒体に記録された複数の動画データから編集対象の動画データを選択する選択手段と、前記選択手段により選択された動画データを結合し、第１のフレームレートの動画データを生成する生成手段と、を備え、前記選択手段は、前記設定手段により設定されているフレームレートを前記第１のフレームレートとして設定し、前記複数の動画データのフレームレートと前記第１のフレームレートとに基づいて、前記第１のフレームレートと関連した第２のフレームレートの動画データを前記編集対象の動画データとして選択することを特徴とする。